(57)【要約】      （修正有）【解決手段】計時器又はスマートフォン等の可搬物体に関し、電極間に電圧を印加して駆動する光学活性要素を備える電気光学表示デバイスを備え、電気光学表示デバイスを中に配置する開口４の境界を定める枠２を更に備え、外部電力・制御デバイス３１及び、電気光学表示デバイスを外部電力・制御デバイスに電気接続する要素３２、３４、３６を更に備え、外部電力・制御デバイス及び電気接続要素は、物体の枠によって隠され、電気光学表示デバイスは、不透明活性表示領域３８を画定し、不透明活性表示領域の表面積は、開口の表面積よりも小さいため、電気光学表示デバイスに情報を表示する場合でも、透明領域４０は、活性表示領域３８と枠の縁部との間に残存する一方で、活性表示領域の下に位置する領域を隠す。【効果】活性表示領域が何にも接続していないように見え、神秘的である。【選択図】図１
2020076769.tif 000002
【特許請求の範囲】
【請求項１】
物体、特に、計時器又はスマートフォン等の可搬物体であって、前記物体は、光学活性要素を備える電気光学表示デバイスを備え、前記光学活性要素の光学特性は、前記光学活性要素を間に配設した少なくとも１つの電極と１つの対応する補助電極との間に電圧又は電流を印加することによって修正することができ、前記物体は、前記電気光学表示デバイスを中に配置する開口（４）の境界を定める枠（２）を更に備え、前記物体は、外部電力・制御デバイス（３１；６６）、及び更には、前記電気光学表示デバイスを前記外部電力・制御デバイス（３１；６６）に電気接続する要素（３２、３４、３６；６４、７０）を更に備え、前記外部電力・制御デバイス（３１；６６）及び前記電気接続要素（３２、３４、３６；６４、７０）は、前記物体の前記枠（２）によって隠され、前記電気光学表示デバイスは、不透明活性表示領域（３８；７２）を画定し、前記不透明活性表示領域（３８；７２）の表面積は、前記枠（２）によって境界を定める前記開口（４）の表面積よりも小さく、このため、前記電気光学表示デバイスを起動し、情報を表示する場合でさえ、透明領域（４０；７４）は、前記活性表示領域（３８；７２）と前記枠（２）の縁部との間に残存する一方で、前記活性表示領域（３８；７２）の下に位置する領域は、隠される、物体。
【請求項２】
前記枠（２）によって境界を定める前記開口（４）は、前記電気光学表示デバイスによって閉鎖することを特徴とする、請求項１に記載の物体。
【請求項３】
前記物体は、ガラス（６）を備え、前記ガラス（６）は、前記開口（４）を閉鎖し、前記物体の外部の方を向く上表面（８）、及び前記物体の内部の方を向く底表面（１０）を備え、前記ガラス（６）に前記電気光学表示デバイスを取り付けることを特徴とする、請求項１に記載の物体。
【請求項４】
前記電気光学表示デバイスは、少なくとも１つの透明表基材（１４；５２）を備え、前記透明表基材（１４；５２）を介して、前記電気光学表示デバイスは、前記枠（２）によって境界を定める前記開口（４）を閉鎖し、前記透明表基材（１４；５２）は、少なくとも１つの電極と１つの対応する補助電極との間に配設した前記光学活性要素のための支持体として働き、前記光学活性要素の光学特性は、前記電極と前記対応する補助電極との間に電圧又は電流を印加することによって修正することを特徴とする、請求項２に記載の物体。
【請求項５】
前記電気光学表示デバイスは、少なくとも１つの透明表基材（１４；５２）を備え、前記透明表基材（１４；５２）を介して、前記電気光学表示デバイスは、前記ガラス（６）の前記底表面（１０）に取り付け、前記透明表基材（１４；５２）は、少なくとも１つの電極と１つの対応する補助電極との間に配設した前記光学活性要素のための支持体として働き、前記光学活性要素の光学特性は、前記電極と前記対応する補助電極との間に電圧又は電流を印加することによって修正することを特徴とする、請求項３に記載の物体。
【請求項６】
前記電気光学表示デバイスは、透明裏基材（１６）を更に備え、前記透明裏基材（１６）は、前記表基材（１４）と平行に、前記表基材（１４）から離れて延在し、前記表基材（１４）の寸法は、前記枠（２）によって境界を定める前記開口（４）の寸法と等しいか又は前記寸法よりも大きい一方で、前記裏基材（１６）の寸法は、前記表基材（１４）の寸法を超え、前記電気光学表示デバイスを前記外部電力・制御デバイス（３１）に電気接続するのに必要な前記要素（３２、３４、３６）を配置するのに十分な表面積を有するようにすることを特徴とする、請求項４又は５に記載の物体。
【請求項７】
前記電気光学表示デバイスは、液晶表示デバイス（１２）であること、並びに前記表基材（１４）及び前記裏基材（１６）は、液晶（２２）を閉じ込める封止筐体（２０）の境界を定める封止枠（１８）により互いに接合し、上側偏光子（３９）と下側偏光子（４１）との間、又は偏光子と金属反射体との間に含まれる前記液晶（２２）の体積部は、前記液晶表示デバイス（１２）の前記活性表示領域（３８）を画定することを特徴とする、請求項６に記載の物体。
【請求項８】
前記物体は、可撓性印刷回路（３６）を備え、前記可撓性印刷回路（３６）は、導電性軌道（３２、３４）を介して前記液晶表示デバイス（１２）を前記外部電力・制御デバイス（３１）に接続することを可能にし、前記導電性軌道（３２、３４）は、前記封止枠（１８）によって境界を定める前記封止筐体（２０）の外側に延在することを特徴とする、請求項７に記載の物体。
【請求項９】
前記電気光学表示デバイスは、ＯＬＥＤ表示デバイス（５０）であり、前記前記電気光学表示デバイスの前記透明表基材（５２）は、陽極（５６）と陰極（５８）との間に挟まれた有機層（５４）の積層体の支持体として働き、前記ＯＬＥＤ表示デバイス（５０）は、湿気吸収デバイス（６２）を中に配置する封止筐体を画定するカバー（６０）によって湿気から保護するか、又は前記有機層積層体（５４）が間に延在する前記陽極（５６）及び前記陰極（５８）によって形成した前記積層体上に薄膜を堆積することによって保護することを特徴とする、請求項４又は５に記載の物体。
【請求項１０】
前記ＯＬＥＤ表示デバイス（５０）の前記活性表示領域（７２）は、前記陽極（５６）と前記陰極（５８）との間の重複領域によって画定することを特徴とする、請求項９に記載の物体。
【請求項１１】
前記物体は、可撓性印刷回路（６４）を備え、前記可撓性印刷回路（６４）は、導電性軌道（７０）を介して前記ＯＬＥＤ表示デバイス（５０）を前記外部電力・制御デバイス（６６）に接続することを可能にし、前記導電性軌道（７０）は、前記カバー（６０）又は前記薄膜によって境界を定める前記封止筐体の外側に延在することを特徴とする、請求項９又は１０に記載の物体。
【請求項１２】
前記物体は、第２の情報表示デバイス（４２）を備え、前記第２の情報表示デバイス（４２）は、前記電気光学表示デバイスの下に配置し、前記透明領域（４０）を通して少なくとも部分的に見えることを特徴とする、請求項１から１１のいずれか一項に記載の物体。
【請求項１３】
前記外部電力・制御デバイス（３１；６６）は、前記第２の表示デバイス（４２）の下に配設することを特徴とする、請求項１２に記載の物体。
【請求項１４】
前記外部電力・制御デバイス（３１；６６）は、前記電気光学表示デバイスの下に配設することを特徴とする、請求項１から１２のいずれか一項に記載の物体。
【発明の詳細な説明】
【技術分野】
【０００１】
本発明は、電気光学表示器を備える物体に関する。より詳細には、本発明は、枠を備える計時器又はスマートフォン等の物体に関し、枠は、電気光学表示デバイスを中に配置する開口の境界を定める。
【背景技術】
【０００２】
本発明は、電気光学表示デバイスの分野に関する。これら電気光学表示デバイスは、従来、光学活性要素のための支持体として働く少なくとも１つの基材を備え、光学活性要素は、少なくとも１つの電極と１つの対応する補助電極との間に配設され、光学活性要素の光学特性は、電流又は電圧を印加することによって修正することができる。この定義に適合する表示デバイスは、特に、液晶表示デバイス（ＬＣＤデバイスとしても公知）、有機発光ダイオード・デバイス（ＯＬＥＤデバイスとしても公知）、電気泳動表示デバイス、及び電気凝固表示デバイスを含む。
【０００３】
ただ説明する目的で、例えば、ねじれネマチック（ＴＮ）型液晶表示デバイスのケースを考慮することができ、この液晶表示デバイスは、表基材、及び表基材に平行に、表基材から離れて延在する裏基材を備える。これらの表基材及び裏基材は、封止枠により互いに接合され、封止枠は、液晶を閉じ込める封止筐体の境界を定める。電極及び補助電極は、表基材及び裏基材が互いに面する面上に構成される。決定した電極と、決定した補助電極との間に電圧を印加すると、この電極とこの補助電子との間の交差点で、液晶の光学特性を修正することが可能である。
【０００４】
液晶表示デバイスの正確な動作を保証するため、電極及びその補助電極は、表示デバイスに対して少なくとも部分的に外側に位置する電力・制御デバイスに接続しなければならない。この目的で、２つの基材のうち一方、通常は裏基材は、裏基材が表基材よりも大きいように設けられ、この追加の表面を使用して、導電性軌道を介して、表示デバイスの封止枠の外側の裏基材によって支持される補助電極を拡張させる。同様に、表基材によって支持される電極は、例えば、封止枠内に分散する導電性ボールにより裏基材に伝達される。これらの導電性ボールは、一方で、電極と接触し、もう一方で、裏基材に沿って延びる導電性軌道と接触し、これらの電極を、前記封止枠によって境界を定めた封止筐体の外側に拡張可能にする。電気接続器により、液晶表示デバイスの導電性軌道、したがって、電極及び補助電極を外部電力・制御デバイスに接続することができる。
【０００５】
今日、物体、特に可搬物体が、針による表示デバイス等の情報表示デバイス、又は電気光学表示デバイス、例えば、上記で簡単に説明した種類の液晶表示デバイスを備える多数の適用例が存在する。すぐに思い付く例は、腕時計又はスマートフォン等の計時器である。そのような可搬物体は、開口の境界を定める枠（腕時計の特定の例では「中間部品」とも呼ぶ）を備え、開口は、ガラスによって閉鎖される。このガラスは、観察者の方を向く上表面、及び可搬物体の内部の方に向く、上表面の反対側の底表面を備える。表示デバイス、例えば、液晶又は針表示デバイスは、可搬物体の枠によって境界を定めた開口を通じてユーザが識別可能である情報を表示することを目的とする。
【０００６】
従来技術において、物体、特に、腕時計又はスマートフォン等の可搬物体が存在し、この物体は、第１の表示デバイスの上に配設した第２の電気光学表示デバイスを備える。そのような物体の一例は、ねじれネマチック液晶表示デバイスを備える腕時計であり、ねじれネマチック液晶表示デバイスは、第２の電気光学表示デバイスの上に配設される。液晶表示デバイスによって表示される情報が見える表基材は、腕時計の中間部品によって境界を定めた開口の寸法と同じか又は実質的に同じ寸法を有する一方で、裏基材は、表基材よりも大きい寸法を有し、液晶表示デバイスを、液晶表示デバイスの外部電力・制御デバイスに電気接続するのに必要な要素の全てを配置するのに十分な表面積をもたらすようにする。表基材の寸法を超え、電気接続要素を取り付けるのに使用される裏基材の部分は、腕時計の中間部品の下に延在し、したがって、ユーザの視界からは隠れる。
【０００７】
従来技術のこれらの実施形態では、上側電気光学表示デバイスの活性領域、即ち、そのような電気光学表示デバイスが情報を表示することができる範囲は、物体の枠によって境界を定める開口の範囲に実質的に等しい。このことは、２つの重なる電気光学型表示デバイスを備える腕時計等の物体のケースでは好適である。より詳細には、上側電気光学表示デバイスは、情報を表示していない際、半透明であり、下側電気光学表示デバイスが表示する情報を見ることを可能にするように構成される。しかし、この解決策は、下側表示デバイスが電気光学表示デバイスではないケースではあまり適していないと思われる。そのようなケースとは、例えば、腕時計等の物体が、例えば、表示針が上で移動する文字板を備えるケースである。より具体的には、針表示デバイスの上に配置した電気光学表示デバイスは２つの偏光子の間に配設されるため、この電気光学表示デバイス上に注がれ、時計ケースの内側を貫通する外部光は、５０％未満であり、このため、文字板及びその上で移動する針は、暗く見え、ユーザが知覚するのが困難である。
【０００８】
したがって、従来技術には、物体、特に、腕時計又はスマートフォン等の可搬物体に対する要望があり、この物体は、開口の境界を定める枠を備え、開口を通じて、電気光学表示デバイスが表示する情報だけでなく、電気光学表示デバイスの下に配置した第２の表示デバイスが表示する情報も見ることができる一方で、見えると物体の美観を損なうと思われる構成要素及び電気接続要素を、ユーザの視界から隠す。
【発明の概要】
【発明が解決しようとする課題】
【０００９】
したがって、本発明の目的は、物体、特に、計時器又はスマートフォン等の可搬物体を提供することによって、上述及び他の要望を満たすことであり、この可搬物体は、第１の電気光学表示デバイス、及び電気光学表示デバイスの下に配置した第２の表示デバイスを備え、第１の電気光学表示デバイス及び第２の表示デバイスがそれぞれ表示する情報は、物体が備える枠によって境界を定めた開口を通じて識別可能である。特に、第１の電気光学表示デバイスを外部電力・制御デバイスに電気接続するのに必要な要素の全ては、依然としてユーザが識別できないものとしなければならない。
【課題を解決するための手段】
【００１０】
この目的で、本発明は、物体、特に、計時器又はスマートフォン等の可搬物体に関し、この物体は、光学活性要素を備える電気光学表示デバイスを備え、光学活性要素の光学特性は、光学活性要素を間に配設した少なくとも１つの電極と１つの対応する補助電極との間に電圧又は電流を印加することによって修正することができ、物体は、電気光学表示デバイスを中に配置する開口の境界を定める枠を更に備え、物体は、外部電力・制御デバイス、更には、電気光学表示デバイスを外部電力・制御デバイスに電気接続する要素を更に備え、外部電力・制御デバイス及び電気接続要素は、物体の枠によって隠され、電気光学表示デバイスは、不透明活性表示領域を画定し、不透明活性表示領域の表面積は、枠によって境界を定める開口の表面積よりも小さく、このため、電気光学表示デバイスを起動し、情報を表示する場合でさえ、透明領域は、活性表示領域と枠の縁部との間に残存する一方で、活性表示領域の下に位置する領域は、隠される。
【００１１】
これらの特徴により、本発明は、物体、特に、腕時計又はスマートフォン等の可搬物体を提供し、物体は、電気光学表示デバイスを備え、電気光学表示デバイスの不透明活性表示領域は、物体の枠によって境界を定める開口の表面積よりも小さい表面積を有する。したがって、活性表示領域が情報を表示している場合でさえ、情報の表示が一切ない透明領域が、この活性表示領域と物体の枠の縁部との間に残存し、この透明領域を通じて、電気光学表示デバイスの下に位置するものを、かなりはっきりと知覚することができる。したがって、ユーザは、透明領域の下に位置するものが直接的にはっきりと見える。反対に、電気光学表示デバイスの活性表示領域は不透明であるため、この活性表示領域の下に位置するものは、知覚されない。このようにして、物体、特に腕時計が得られ、この物体は、電気光学表示デバイスの活性表示領域が透明領域によって囲まれ、この透明領域により、外部電力・制御デバイス、及び電気光学表示デバイスを外部電力・制御デバイスに電気接続する要素のいずれも見えず、活性表示領域が何にも接続していないように見えることから、神秘的と言うことができる。
【００１２】
本発明の１つの特定の実施形態によれば、枠によって境界を定める開口は、電気光学表示デバイスによって閉鎖される。
【００１３】
本発明の別の特定の実施形態によれば、物体は、ガラスを備え、ガラスは、開口を閉鎖し、物体の外部の方を向く上表面、及び物体の内部の方を向く底表面を備え、この底表面に、電気光学表示デバイスが取り付けられる。
【００１４】
本発明のまた別の特定の実施形態によれば、電気光学表示デバイスは、透明表基材を備え、透明表基材を介して、電気光学表示デバイスをガラスの底表面に取り付け、電気光学表示デバイスは、表基材と平行に、表基材から離れて延在する裏基材を更に備え、表基材の寸法は、ガラスの寸法と等しいか又は実質的に同じである一方で、裏基材の寸法は、ガラスの寸法を超え、電気光学表示デバイスの電気接続に必要な要素を配置するのに十分な表面積を有するようにする。
【００１５】
本発明のまた別の特定の実施形態によれば、物体は、第２の情報表示デバイスを備え、第２の情報表示デバイスは、電気光学表示デバイスの下に配置され、透明領域を通して少なくとも部分的に見える。
【００１６】
本発明によって獲得される可能性を示す一例は、腕時計の例であり、この腕時計は、本発明による電気光学表示デバイスを備え、電気光学表示デバイスの下に配置した針を備える文字板を更に備える。したがって、本発明の特徴により、この腕時計のユーザは、ユーザの時計の中間部品によって境界を定めた開口を通じて、電気光学表示デバイスの活性領域が表示するデジタル情報、及び文字板上を移動する針が表示するアナログ情報が同時に見える。したがって、本発明により、「画面」型表示及びアナログ表示を備えるハイブリッド時計が得られ、その外観は、独創的で革新的である。しかし、本発明は、電気光学表示デバイスの下に配設したアナログ表示デバイスの使用に限定されず、第１の電気光学表示デバイス及び第２の電気光学表示デバイスを互いにかなり良好に組み合わせることができ、したがって、第２の電気光学表示デバイスは、第１の電気光学表示デバイスの活性表示領域によって覆われない領域内に情報を表示するように適合されることに留意されたい。したがって、ガラスの下に取り付けた第１の電気光学表示デバイスのみを起動するか、又は第１の電気光学表示デバイスの下に配設した第２の電気光学表示デバイスのみを起動するか、又は第１の電気光学表示デバイス及び第２の電気光学表示デバイスを同時に起動するという選択の可能性がある。
【００１７】
本発明の他の特性及び利点は、添付の図面を参照しながら、本発明による腕時計型可搬物体の一例示的実施形態である以下の詳細な説明を読めば良好に理解されるであろう。前記例は、例示の目的で提供するにすぎず、本発明の範囲の限定を意図しない。
【図面の簡単な説明】
【００１８】
【図１】時計ケースの部分断面図であり、時計ケースの中間部品は、ガラスによって閉鎖される開口の境界を定め、ガラスの底表面に、液晶表示デバイス型電気光学表示デバイスが強固に接続される。
【図２】図１で示す時計の俯瞰図である。
【図３】電気光学表示デバイスが、有機発光ダイオード（ＯＬＥＤ）表示デバイスであるケースの、図１と同様の図である。
【発明を実施するための形態】
【００１９】
本発明は、物体、特に、腕時計又はスマートフォン等の可搬物体の枠によって境界を定めた開口内に電気光学表示デバイスを配置することから構成される一般的な発明的概念から得られた。この電気光学表示デバイスの独自性は、電気光学表示デバイスの寸法が、開口の寸法と同じか又はわずかに大きいが、その活性表示領域は、不透明であり、その寸法が開口の寸法よりも小さい表面積を有することである。この結果、電気光学表示デバイスを起動し、情報を表示する場合でさえ、情報の表示が一切ない透明領域が、電気光学表示デバイスの活性表示領域と物体の枠の縁部との間に残存し、電気光学表示デバイスの透明領域は、物体に神秘的な性質をもたらす。というのは、電気光学表示デバイスは、その電力供給・制御器に対し、何が、どのように接続しているかをユーザに推測させないためである。本発明の１つの特定の実施形態によれば、電気光学表示デバイスの下に配置した第２の情報表示デバイスは、この透明領域を通して少なくとも部分的に見える。この第２の情報表示デバイスは、あらゆる種類のものとすることができる。第２の表示デバイスは、単なる装飾パターンとすることができる。第２のデバイスは、電気光学表示デバイスとすることができる。本発明の好ましい実施形態によれば、第２の表示デバイスは、針が上で移動する文字板である。したがって、本発明により、「画面」型表示及びアナログ表示を備えるハイブリッド時計が得られ、その外観は、独創的で革新的である。特に、透明領域の下に位置する要素の全ては、ユーザに完全に見える一方で、活性表示領域の下に位置する要素は、識別することができない。
【００２０】
次に、液晶表示デバイス型の電気光学表示デバイスを備える腕時計型可搬物体を参照しながら本発明を説明する。この例は、例示的に、非制限的な目的で提供するにすぎず、物体は、計時器以外のものであってもよいことは言うまでもない。大まかに言うと、本発明は、開口の境界を定める枠を備える電話又はラップトップ等、あらゆる種類の物体に関し、この開口を通じて、電気光学表示デバイスによって表示される情報が識別可能である。同様に、電気光学表示デバイスの選択は、液晶表示デバイスに制限されず、特に、有機発光ダイオード型表示デバイス、並びに電気泳動表示デバイス及び電気凝固表示デバイスまで拡張する。より詳細には、これら異なる種類の電気光学表示デバイスは全て、光学活性要素の支持体として作用する少なくとも１つの基材（例えば、液晶表示デバイスのためのねじれネマチック若しくは超ねじれネマチック液晶若しくは垂直配向液晶、有機発光ダイオード表示デバイスのための正孔注入層、電気泳動表示デバイスの場合に流体内に分散する白黒粒子若しくは色粒子、電気凝固表示デバイスの場合の液体若しくは固体電解質）、並びに電流若しくは電圧を印加することによって光学活性要素の光学特性を修正するのに使用される電極及び補助電極のセットを備える。
【００２１】
本発明によれば、用語「電気光学表示デバイスの活性表示領域」は、電気光学表示デバイスの表表面の有用部分を意味すると理解され、表表面上に、情報要素を表示することができると留意されたい。例として、ねじれネマチック液晶型電気光学表示デバイスの場合、２つの表基材及び裏基材が存在し、これらは、互いに平行に、離れて延在し、液晶を閉じ込める封止筐体の境界を定める封止枠によって互いに接合される。表偏光子膜は、表基材の上部に取り付けられ、表偏光子膜の偏光方向は、９０°の角度を形成し、裏偏光子膜は、裏基材の底部に取り付けられる。そのような場合、これらの偏光子を交差偏光子と呼ぶ。この場合、電気光学表示デバイスによって活性表示領域内に表示される情報は、透明な背景に対して暗く見える。不透明に見える活性表示領域の場合、裏偏光子膜は、反射器と組み合わせることができるか、又は不透明背面照明デバイスを裏基材の下に設けることができる。背面照明デバイスの代わりに、不透明膜を使用することができる。
【００２２】
偏光子は、平行とすることができ、即ち、偏向方向は、互いに平行とすることができる。更に別の実施形態は、表基材の上部に取り付けた円形偏光子と、金属反射体とを組み合わせることから構成され、金属反射体は、裏基材の上部で、液晶表示デバイスの内側に配置される。したがって、活性表示領域は、表偏光子膜と裏偏光子膜との間、又は円形偏光子膜と金属反射体との間に含まれる液晶体積部として定義される。
【００２３】
全体として、全体参照番号１により示すのは、図１において断面図で部分的にのみ示す腕時計のケースであり、腕時計のケースは、以下、好ましくは「中間部品」と呼ぶ枠２を備える。この中間部品２は、例えば、円形で、ガラス６によって完全に封止閉鎖される開口４の境界を定める。このガラス６は、ユーザの方を向く上表面８、及び腕時計ケース１の内部の方を向く、上表面８の反対側の底表面１０を備える。電気光学表示デバイス、この例では液晶表示デバイス１２は、あらゆる適切な手段によってガラス６の底表面１０に取り付けられた透明表基材１４を備える。この表基材１４は、やはり透明である裏基材１６に平行で、裏基材１６から離れて延在する。表基材１４及び裏基材１６は、封止枠１８により互いに接合され、封止枠１８は、液晶２２を閉じ込める封止筐体２０の境界を定める。液晶表示デバイス１２は、例えば、光学用透明粘着剤（ＯＣＡ）による積層によって、ガラス６の底表面１０に強固に接続される。光学用透明粘着剤は、ガラス６と液晶表示デバイス１２との間の界面において寄生光反射の問題を防止するという利点を有する。酸化インジウムスズ（ＩＴＯ）等の導電性透明材料から作製した電極２４は、液晶表示デバイス１２の表基材１４の底面２６上に構成される一方で、同様に導電性透明材料から作製した補助電極２８は、裏基材１６の上面３０上に構成される。電極２４及び補助電極２８は、液晶層２２の両側に配置される。所与の電極と、所与の補助電極との間に適切な電圧を印加すると、考慮した電極と補助電子との間の交差点で、液晶２２の光学特性を修正する。
【００２４】
液晶表示デバイス１２の表基材１４の寸法は、中間部品２によって境界を定めた開口４の寸法と同一であるか又はそれよりも大きい。裏基材１６の寸法は、表基材１４の寸法よりも大きく、腕時計の中間部品２の下に部分的に延在する。電極２４及び補助電極２８は、外部電力・制御デバイス３１に接続しなければならないことに留意されたい。この目的で、裏基材１６は、裏基材１６が表基材１４よりも大きいように設計され、この更なる表面積を使用し、酸化インジウムスズ（ＩＴＯ）等の導電性透明材料から作製した第１の導電性軌道３２を介して、裏基材１６によって支持する補助電極２８を液晶表示デバイス２２の封止枠１８の外側に拡張させる。同様に、表基材１４によって支持される電極２４は、例えば、封止枠１８内に分散する導電性ボールにより裏基材１６に伝達される。これらの導電性ボールは、電極２４を、同様にＩＴＯ等の導電性透明材料から作製した第２の導電性軌道３４と電気接触可能にし、第２の導電性軌道３４は、裏基材１６に沿って延び、これらの電極２４が、前記封止枠１８によって境界を定めた封止筐体の外側に拡張するのを可能にする。可撓性印刷回路（ＦＰＣ）３６のために、導電性軌道３２、３４を接続することができ、したがって、液晶表示デバイス１２の電極２４及び補助電極２８を印刷回路板３７上に配置した外部電力・制御デバイス３１に接続することができる。第１の導電性軌道３２及び第２の導電性軌道３４は、透明であり、可撓性印刷回路３６は腕時計の中間部品２によって隠されるため、これらの要素の全ては、ユーザの視界から隠される。好ましくは、印刷回路板３７は、液晶表示デバイス１２の下に配設される。
【００２５】
上記で述べたように、液晶表示デバイス１２の活性表示領域３８は、液晶２２の体積部によって画定され、液晶２２は、封止枠１８の周辺部内側に閉じ込められ、上側偏光子３９と下側偏光子４１との間に含まれる。これらの偏光子３９、４１は、交差させることができる、即ち、偏光方向が直角を形成するか、又は平行、即ち、偏光方向を互いに平行に延長させることができる。本発明によれば、本出願に添付の図１及び図２に示すように、この活性表示領域３８の範囲は、表基材１４の表面積よりも小さい。したがって、液晶表示デバイス１２が起動され、情報を表示している場合でさえ、情報を一切表示しない透明領域４０が、液晶表示デバイス１２の活性表示領域３８と腕時計の中間部品２の縁部との間に残存し、この透明領域を通じて、液晶表示デバイス１２の下に配置した第２の情報表示デバイス４２を見ることができる。この第２の情報表示デバイス４２は、あらゆる種類のものとすることができる。第２の表示デバイスは、単なる装飾パターンとすることができる。第２のデバイスは、電気光学表示デバイスとすることができる。図１及び図２に示す本発明の好ましい代替実施形態によれば、第２の表示デバイス４２は、第１の針４６及び第２の針４８が上で移動する文字板４４によって形成される。したがって、本発明により、「画面」型表示及びアナログ表示を備えるハイブリッド時計が得られ、その外観は、独創的で革新的である。
【００２６】
本発明は、上記の実施形態に限定されず、当業者が、添付の特許請求の範囲によって定義される本発明の範囲から逸脱することなく様々な単純な代替形態及び修正形態を考慮し得ることは明らかである。特に、本発明において、物体の枠、例えば、腕時計の中間部品が境界を定める開口は、電気光学表示デバイスによって直接閉鎖するか、又はガラスによって閉鎖することができ、ガラスの底面に、液晶表示デバイスを取り付けることは理解されよう。したがって、上記で説明したように、液晶表示デバイス１２は、液晶表示デバイス１２の表基材１４を介してガラス６の底表面１０に強固に接続することができる。とはいえ、ガラス６は、省くことができ、可搬物体の枠２によって境界を定めた開口４は、液晶表示デバイス１２の表基材１４により直接閉鎖することができる。
【００２７】
図３に示す本発明の別の実施形態によれば、有機発光ダイオード（ＯＬＥＤ）表示デバイスを使用する。全体として、全体参照番号５０によって示すこのＯＬＥＤ表示デバイスは、透明表基材５２を備え、透明表基材５２は、陽極５６と陰極５８との間に挟まれた有機層５４の積層体の支持体として働く。ＯＬＥＤ表示デバイス５０の層のセットは、封止筐体を画定するカバー６０によって湿気から保護され、封止筐体の中に湿気吸収デバイス６２が配置される。代替的に、ＯＬＥＤ表示デバイス５０の層のセットは、薄膜を堆積することによって保護することができる。これらの薄膜は、原子層堆積法（ＡＬＤ）によって堆積することができる。可撓性印刷回路６４は、ＯＬＥＤ表示デバイス５０を外部電力・制御デバイス６６に接続することを可能にし、外部電力・制御デバイス６６は、導電性軌道７０を介して印刷回路板６８上に配置され、導電性軌道７０は、カバー６０によって境界を定めた封止筐体の外側に延在する。好ましくは、印刷回路板６８は、ＯＬＥＤ表示デバイス５０の下に配設される。ＯＬＥＤ表示デバイス５０の活性表示領域７２は、陽極５６と陰極５８との間の重複領域によって画定される。この活性表示領域７２は、円形偏光子がない場合に金属の外観を有し、そのような円形偏光子を使用すると暗く見える。本発明によれば、図３に示すように、活性表示領域７２の範囲は、可搬物体の枠２によって境界を定めた開口４の表面積よりも小さい。したがって、ＯＬＥＤ表示デバイス５０を起動し、情報を表示している場合でさえ、情報を一切表示しない透明領域７４が、ＯＬＥＤ表示デバイス５０の活性表示領域７２と可搬物体の枠２の縁部との間に残存し、この透明領域を通じて、第１の針４６及び第２の針４８が上で移動する文字板４４等の第２の情報表示デバイス４２を見ることができる。図３に示す例では、ＯＬＥＤ表示デバイス５０は、底部発光型である、即ち、光は、表基材５２を通じてＯＬＥＤ表示デバイス５０から出現する。したがって、可搬物体の枠２によって境界を定めた開口４は、表基材５２により閉鎖されるように設計することができる。開口４は、ガラス６により閉鎖することもでき、ＯＬＥＤ表示デバイス５０を表基材５２を介してガラス６の底表面１０に強固に接続し得ることは言うまでもない。ＯＬＥＤ表示デバイス５０が上部発光型であるケース、即ち、光が、表基材５２の反対側でＯＬＥＤ表示デバイスから出現するケースにおいて、可搬物体の枠２によって境界を定めた開口４は、ＯＬＥＤ表示デバイス５０のカバー６０によって、又はガラス６の底表面１０にカバー６０を強固に接続することによって、直接閉鎖するように設計することができる。ＯＬＥＤ表示デバイス５０を、ＯＬＥＤ表示デバイス５０の層全体にわたり薄膜を堆積することによって湿気から保護するケースでは、ＯＬＥＤ表示デバイス５０は、この薄膜を介してガラス６の底表面１０に取り付けられる。
【符号の説明】
【００２８】
１  腕時計ケース
２  枠
４  開口
６  ガラス
８  上表面
１０  底表面
１２  液晶表示デバイス
１４  表基材
１６  裏基材
１８  封止枠
２０  封止筐体
２２  液晶
２４  電極
２６  底面
２８  補助電極
３０  上面
３１  外部電力・制御デバイス
３２  第１の導電性軌道
３４  第２の導電性軌道
３６  可撓性印刷回路
３７  印刷回路板
３８  活性表示領域
３９  上側偏光子
４０  透明領域
４１  下側偏光子
４２  第２の表示デバイス
４４  文字板
４６  第１の針
４８  第２の針
５０  有機発光ダイオード（ＯＬＥＤ）表示デバイス
５２  表基材
５４  有機層積層体
５６  陽極
５８  陰極
６０  カバー
６２  湿気吸収デバイス
６４  可撓性印刷回路
６６  外部電力・制御デバイス
６８  印刷回路板
７０  導電性軌道
７２  活性表示領域
７４  透明領域
【図１】
2020076769.tif 000003
【図２】
2020076769.tif 000004
【図３】
2020076769.tif 000005
【外国語明細書】
2020076769000001.pdf